(57)【要約】生薬の品質をモニタリングする方法であって、（ａ）前記生薬の試料を提供する工程と、（ｂ）極性溶媒を用いて前記試料を抽出し、極性抽出物を生成する工程と、（ｃ）極性抽出物をイオン交換クロマトグラフィーにかけてイオン性化合物に富む抽出物を生成する工程と、（ｄ）前記濃縮抽出物をクロマトグラフィーによって分画して、１つまたはそれ以上の極性画分を生成する工程と、（ｅ）前記極性を特徴づける工程とを含む方法。【特許請求の範囲】
【請求項１】
（ａ）生薬の第１の試料を提供する工程と、
（ｂ）極性溶媒を用いて前記試料を抽出して、極性抽出物と非極性残渣とを生成する工程と、
（ｃ）前記極性抽出物を特徴づける工程と
を含む、生薬の品質をモニタリングする方法。
【請求項２】
特徴づけに先立って、前記極性抽出物を分画する、請求項１に記載の方法。
【請求項３】
前記極性溶媒が、
（ａ）イオン交換クロマトグラフィーにかけて、イオン性化合物の濃縮抽出物と非イオン性残渣とを生成し、次いで
（ｂ）工程（ａ）の前記濃縮抽出物をクロマトグラフィーによって分画して、１つまたはそれ以上のイオン性植物化学物質を含む１つまたはそれ以上の極性画分を生成すること
によって分画される、請求項２に記載の方法。
【請求項４】
クロマトグラフィーによる前記分画が、気−液クロマトグラフィー（ＧＣ）を含む、請求項３に記載の方法。
【請求項５】
気−液クロマトグラフィーにかけられる前に、前記濃縮抽出物を誘導体形成処理する、請求項４に記載の方法。
【請求項６】
（ｉ）非イオン性残渣を疎水相互作用させ、または、逆相クロマトグラフィーにかけることにより、前記非イオン性残渣を非イオン種のためにスカベンジングして、糖中のスカベンジングされた減損非イオン性抽出物を生成する工程と、（ｉｉ）スカベンジングされた前記抽出物を特徴づけする工程とをさらに含む、請求項３から５のいずれか１つに記載の方法。
【請求項７】
特徴づけに先立って、スカベンジングされた前記抽出物を分画する、請求項６に記載の方法。
【請求項８】
スカベンジングされた前記抽出物を、クロマトグラフィーによって分画して、１つまたはそれ以上の非イオン性植物化学物質を含む１つまたはそれ以上のスカベンジングされた画分を生成する、請求項７に記載の方法。
【請求項９】
クロマトグラフィーによる前記分画が、高速液体クロマトグラフィー（ＨＰＬＣ）を含む、請求項８に記載の方法。
【請求項１０】
（ｉ）前記生薬の第２の試料を抽出し、または、非極性溶媒を用いて引き続き前記第１の試料の非極性残渣を抽出して、非極性抽出物を生成する工程と、（ｉｉ）前記非極性抽出物を特徴づけする工程とをさらに含む、請求項１から９のいずれか１つに記載の方法。
【請求項１１】
特徴づけに先立って、前記非極性抽出物を分画する、請求項１０に記載の方法。
【請求項１２】
（ｉ）前記非極性抽出物を疎水相互作用させ、または、逆相クロマトグラフィーにかけることにより、脂肪およびクロロフィル中の減損抽出物を生成し、そして、（ｉｉ）前記減損抽出物をクロマトグラフィーで分画して、１つまたはそれ以上の非極性植物化学物質を含んだ１つまたはそれ以上の非極性画分を生成することによって、前記非極性抽出物を分画する、請求項１１に記載の方法。
【請求項１３】
クロマトグラフィーによる前記分画が、高速液体クロマトグラフィー（ＨＰＬＣ）および／または気−液クロマトグラフィー（ＧＣ）を含む、請求項１２に記載の方法。
【請求項１４】
前記極性および／または非極性抽出物が、
（ａ）機能的に、および／または
（ｂ）物理的に、および／または
（ｃ）化学的に
特徴づけされる、請求項１から１３のいずれか１つに記載の方法。
【請求項１５】
前記機能的特徴づけ（ａ）が、例えば
（ａ）インビボ（ｉｎ  ｖｉｖｏ）もしくはインビトロ（ｉｎ  ｖｉｔｒｏ）アッセイ、ならびに／または
（ｂ）酵素阻害アッセイ（例えば、グリコシダーゼおよび／もしくはリパーゼ阻害）、ならびに／または
（ｃ）受容体結合アッセイ、ならびに／または
（ｄ）細胞アッセイ（例えば、細胞複製、細胞−病原体および細胞−細胞相互作用、ならびに細胞分泌アッセイ）、ならびに／または
（ｅ）イムノアッセイ、ならびに／または
（ｆ）抗菌作用（例えば、細菌およびウイルスの細胞結合および／または複製）アッセイ、ならびに／または
（ｇ）毒性アッセイ（例えば、ＬＤ50アッセイ）
から選択されるバイオロジカルアッセイを含む、請求項１４に記載の方法。
【請求項１６】
前記物理的特徴づけ（ｂ）が、
（ａ）植物化学物質の定量、および／または
（ｂ）構成成分の純度の測定、および／または
（ｃ）分子量（もしくは分子量分布、もしくは複数の異なる植物化学物質構成成分を含む画分の場合、その様々な統計的相関関係）の決定、および／または
（ｄ）分子式の決定（例えば、核磁気共鳴による）、および／または
（ｅ）スペクトル解析
から選択される、請求項１４に記載の方法。
【請求項１７】
前記スペクトル解析（ｅ）が、
（ｅ）質量スペクトル（例えば、荷電数当たりの質量（ｍ／ｚ）対存在量）、および／または
（ｆ）クラマトグラフィーによるデータ（例えば、スペクトル、カラム保持時間、溶離液プロフィール等）、および／または
（ｇ）ホトダイオードアレイ（ＰＤＡ）スペクトル（例えば、ＵＶおよび可視両領域における）、および／または
（ｈ）核磁気共鳴（ＮＭＲ）スペクトル（1Ｈおよび／または13ＣＮＭＲを介して得られるスペクトルデータセット）
をもたらす、請求項１６に記載の方法。
【請求項１８】
スペクトル解析を、例えばＧＣ−ＭＳおよび／またはＨＰＬＣ−ＰＤＡ−ＭＳを使用することによって、抽出物の分画と合体させる、請求項１６または１７に記載の方法。
【請求項１９】
前記化学的特徴づけ（ｃ）が、
（ａ）植物化学成分の化学的反応性、ならびに／または
（ｂ）植物化学成分の溶解性、ならびに／または
（ｃ）植物化学成分の安定性および融点
の測定によって行われる、請求項１４に記載の方法。
【請求項２０】
前記抽出物の分画によって、所定の画分または単離された（実質的に純粋な）植物化学物質が生成される、請求項２から１９のいずれか１つに記載の方法。
【請求項２１】
前記特徴づけによって植物化学物質プロフィールが作成される、請求項１から２０のいずれか１つに記載の方法。
【請求項２２】
前記植物化学物質プロフィールを解析して、試料中に１つまたはそれ以上の生物活性主要成分が存在するかどうかを決定する工程をさらに含む、請求項２１に記載の方法。
【請求項２３】
前記植物化学物質プロフィールを解析して、試料中に１つまたはそれ以上の生物活性マーカーが存在しているかどうかを決定する工程をさらに含む、請求項２１または２２に記載の方法。
【請求項２４】
前記植物化学物質プロフィールを解析して、これが標準規格を満たしているかどうかを決定する工程をさらに含む、請求項２１から２３のいずれか１つに記載の方法。
【請求項２５】
生薬中の生物活性主要成分を同定する方法であって、前記方法が請求項１から２０のいずれか１つにおいて特定されている工程を含む方法。
【請求項２６】
前記試料が、対象に生薬の試料を投与し、次いで、前記対象から血液試料を抽出することによって得られた血液試料である、請求項２５に記載の方法。
【請求項２７】
請求項１から２４のいずれか１つにおいて特定された方法によって、生薬の品質をモニタリングする工程を含む、生薬調製法。
【請求項２８】
請求項２７の方法によって得られる生薬。
【発明の詳細な説明】
【技術分野】
【０００１】
本発明は、生薬の品質をモニタリングする方法、生薬調製方法およびそのような方法によって得られる生薬に関する。
【背景技術】
【０００２】
現在、生薬の使用への多大な関心があり、また生薬製品の全体論的研究方法が重要であって、それによってすでに確立している治療法がより完全なものとなることについての医療関連会社および医療従事者等の支持は高まりつつある。
【０００３】
生薬への関心の復活は、従来の医薬品ではほとんど治療を受ける利点がないことが分かっている慢性の病状が、標準化された生薬製品をうまく使用することによって治療できたことに特に刺激されてきた。例えば、Ｖａｌｅｒｉａｎａ  ｏｆｆｉｃｉｎａｌｉｓの標準抽出物は、ベンゾジアゼピン薬の天然代替物としての役割をする鎮静薬としてヨーロッパで広く使用されており、また一方Ｇｉｎｋｇｏ  ｂｉｌｏｂａの葉の標準抽出物は独国でしばしば処方され、脳虚血を緩和するのに服用されている。生薬のその他の例としては、朝鮮人参、Ａｌｌｉｕｍ  ｓａｔｉｖｕｍ（ニンニク）、Ｇｉｎｋｇｏ  ｂｉｌｏｂａ、Ｈｙｐｅｒｉｃｕｍ  ｐｅｒｆｏｒａｔｕｍ（セイヨウオトギリ草）、Ｅｃｈｉｎａｃｅａ  ａｎｇｕｓｔｉｆｏｌｉａおよびＡｌｏｅ  ｖｅｒａなどが挙げられる。
【０００４】
医学界が「生薬」製品の長所を進んで受け入れる傾向は、結果として、それら製品が従来の医薬品と同レベルの規定下におかれることなり、消費者のためになろう。したがって、有効成分レベルでの有効性、安全性およびバッチごとの再現性に関する品質管理などの書類で立証された証拠が極めて重要となろう。
【０００５】
しかし、生薬の品質管理は、植物原料の複雑な性質および本来備わっている不均一性のために容易でない。生薬に使用される物質は、通常、各植物の全体または部分またはそれらの抽出物である。植物および菌類物質は多くの異なる化学成分を含有しているため、それら原料は複雑な混合物である。このことが、それら物質の品質の標準化および管理を難しくしている。さらに、多くの生薬は２つまたはそれ以上の生薬成分の混合物であり、したがって混合物同士の混合物ということになり、複雑さの度合いをさらに増すことになっている。
【０００６】
大多数の生薬製品の有効成分がいまだ議論のただ中にあり、しばしば不活性な「マーカー」が標準化に用いられている。このようなマーカーは不活性な製品に存在する可能性があり、またはこのようなマーカーが存在しない活性な製品もあり得る。
【０００７】
さらに、使用される配合表および製造法は一定の規則に従っていないことも多く、開示されぬままのこともある。本質的に異なるが外見上は同一の源から得られる所与の製品の２つの試料が、実際同じ成分混合物であることを保証することは、これらの要因によって難しくなる。この問題によって、前記した物質の品質管理が困難になるのだが、生薬を扱う専門家の間ですらある種の生薬の使用には限界があった。
【０００８】
その他の問題は、生薬の実践に使用される植物が地方によってはしばしば入手できず、したがって、最終的な使用者から遠く離れた植物源から得る必要があるという事実に由来する。しかし、遠隔地からのそのような植物の供給は、それらに関する同一性および品質の標準を含んだ詳細なモノグラフが存在しないからこそ、一定しないこともあれば不確かなこともある。生薬に見出される複合的な成分混合物は、その植物学上の源、その植物が育った地域、収穫の時期、その生薬物質が保管され加工される条件、および使用した抽出手順を含めた多くの要因によって、種類および濃度が大きく異なる。
【発明の開示】
【発明が解決しようとする課題】
【０００９】
したがって、生薬製品のプロフィールを描くことができ、それゆえに治療活動と関連づけることができるような生薬物質の標準規格を確立し、それゆえに生薬の生産において品質管理が可能となり、知られている成分または活性であろうと思われる成分を理想的に定量するような感度の良い方法が必要とされている。
【課題を解決するための手段】
【００１０】
本発明の第１の態様によれば、生薬の品質をモニタリングする方法であって、（ａ）前記生薬の第１の試料を提供する工程と、（ｂ）極性溶媒を用いて前記試料を抽出し、極性抽出物と非極性残渣とを生成する工程と、（ｃ）前記極性抽出物を特徴づけする工程とを含む方法が提供される。
【００１１】
好ましくは、前記極性抽出物は特徴づけの前に分画される。好適な方法であればいかなる分画方法を採用してもよい。しかし好ましい実施形態においては、極性溶媒は、（ａ）イオン交換クロマトグラフィーにかけてイオン性化合物に富む抽出物と非イオン性残渣を生成する工程と、次いで（ｂ）工程（ａ）の濃縮抽出物をクロマトグラフィーによって分画して１つまたはそれ以上のイオン性植物化学物質を含む１つまたはそれ以上の極性画分を生成する工程とによって分画される。このような実施形態においては、クロマトグラフィーによる分画は、好ましくは気−液クロマトグラフィー（ＧＣ）、例えばＧＣ−ＭＳを含む。ＧＣを使用する場合、濃縮抽出物は、クロマトグラフィーにかける前に誘導体形成処理しておくことができる。
【００１２】
本発明の方法の任意の一変形態様においては、前記方法はさらに、（ｉ）非イオン種を捜す目的で、前記非イオン性残渣を疎水相互作用させるかまたは逆相クロマトグラフィーにかけるかしてスカベンジングし、糖中のスカベンジングされた減損非イオン性抽出物を生成する工程と、（ｉｉ）スカベンジングされた前記抽出物を特徴づけする工程とを含む。
【００１３】
スカベンジングされた前記抽出物は、特徴づけの前に分画しておくことが可能であり、例えばクロマトグラフィーにより分画して１つまたはそれ以上のイオン性植物化学物質を含む１つまたはそれ以上のスカベンジングされた画分を生成することが可能である。高速液体クロマトグラフィー（ＨＰＬＣ）、例えばＨＰＬＣ−ＭＳまたはＨＰＬＣ−ＵＶvisなどは特に好ましい。
【００１４】
前記方法はさらに、任意で、（ｉ）生薬の第２の試料を抽出し、または、非極性溶媒を用いて引き続き前記第１の試料の非極性残渣を抽出して、非極性抽出物を生成する工程と、（ｉｉ）前記非極性抽出物を特徴づけする工程とを含んでいてもよい。
【００１５】
前記非極性抽出物は、特徴づけの前に分画しておくことが可能であり、例えば（ｉ）前記非極性抽出物を疎水相互作用させるかまたは逆相クロマトグラフィーにかけるかして脂肪およびクロロフィル中の減損抽出物を生成する工程と、（ｉｉ）前記減損抽出物をクロマトグラフィーによって分画して１つまたはそれ以上の非極性植物化学物質を含む１つまたはそれ以上の非極性画分を生成する工程とによって分画しておくことが可能である。クロマトグラフィーによる分画は、高速液体クロマトグラフィー（ＨＰＬＣ）および／または気−液クロマトグラフィー（ＧＣ）、例えばＨＰＬＣ−ＭＳ／ＵＶvisおよび／またはＧＣ−ＭＳを含んでいてもよい。
【００１６】
極性および／または非極性抽出物の特徴づけの形態は、機能によるおよび／または物理的および／または化学的特徴づけを含めて、好適な形態であればいかなる形態も採用できる。ただしこれらに限定されるものではない。
【００１７】
抽出物を機能によって特徴づける場合、例えばインビボ（ｉｎ  ｖｉｖｏ）もしくはインビトロ（ｉｎ  ｖｉｔｒｏ）アッセイ、酵素阻害アッセイ（例えば、グリコシダーゼおよび／もしくはリパーゼ阻害）、受容体結合アッセイ、細胞アッセイ（例えば、細胞複製、細胞−病原体および細胞−細胞相互作用、ならびに細胞分泌アッセイ）、イムノアッセイ、抗菌作用（例えば、細菌およびウイルスの細胞結合および／または複製）アッセイ、毒性アッセイ（例えば、ＬＤ50アッセイ）またはそれらの組合せから選択されるバイオロジカルアッセイを含んでいてよい。
【００１８】
抽出物を物理的に特徴づける場合、その特徴づけは、（ａ）植物化学成分の定量、および／または（ｂ）構成成分の純度の測定、および／または（ｃ）分子量（もしくは分子量分布、もしくは複数の異なる植物化学物質構成成分を含む画分の場合、その様々な統計的相関関係）の決定、および／または（ｄ）分子式の決定（例えば、核磁気共鳴による）、および／または（ｅ）スペクトル解析から選択することができる。
【００１９】
スペクトル解析は特に好ましく、下記のスペクトルのいずれかまたはすべてを生じることができる。
【００２０】
（ａ）質量スペクトル（例えば、荷電数当たりの質量（ｍ／ｚ）対存在量）、および／または
（ｂ）クラマトグラフィーによるデータ（例えば、スペクトル、カラム保持時間、溶離液プロフィール等）、および／または
（ｃ）ホトダイオードアレイ（ＰＤＡ）スペクトル（例えば、ＵＶおよび可視両領域において）、および／または
（ｄ）核磁気共鳴（ＮＭＲ）スペクトル（例えば、1Ｈおよび／または13ＣＮＭＲを介して得られるスペクトルデータセット）
スペクトル解析を本発明に従って使用する場合、例えばＧＣ−ＭＳおよび／またはＨＰＬＣ−ＰＤＡ−ＭＳを、抽出物の分画と対にして使用することができる。
【００２１】
抽出物を化学的に特徴づける場合、その特徴づけは、植物化学物質構成成分の化学的反応性の測定、植物化学物質構成成分の溶解性の測定、植物化学物質構成成分の安定性および融点の測定、またはそれらの任意の組合せから選択することができる。
【００２２】
抽出物の分画を本発明に従って利用する場合、分画は、所定の画分または単離された（実質的に純粋な）植物化学物質が生成されるような条件下で行うことができる。
【００２３】
本発明の好ましい実施形態においては、特徴づけによって植物化学物質のプロフィールが得られるが、前記プロフィールは、（ａ）試料中に１つもしくはそれ以上の生物活性主要成分が存在しているかどうか、および／または（ｂ）試料中に１つもしくはそれ以上の生物活性マーカーが存在しているかどうか、および／または（ｃ）同プロフィールが標準規格を満たしているかどうかを決定するために分析することができる。
【００２４】
別の態様においては、本発明は、生薬中の生物活性主要成分を同定する方法を提供する。好ましくはこの場合の試料は、生薬試料をある対象に投与し、次いでその対象から血液試料を抽出することによって得られる血液試料である。
【００２５】
また別の態様においては、本発明は、前記したような本発明の方法に従って生薬の品質をモニタリングする工程を含む、生薬調製法を提供する。本発明はまた、そのような方法によって得られる生薬も意図するものである。
【発明を実施するための最良の形態】
【００２６】
定義
特にことわりのない限り、本明細書で使用される下記の用語は、それらが当業界において有する任意の広い（狭い）意味に加え、下記の意味を有するものとする。
【００２７】
「植物」は、本明細書では広義に使用され、厳密な意味での植物に限らず菌類および細菌も含む。
【００２８】
「植物化学物質」は、本明細書では広義に使用され、高分子および小分子を含めた植物を構成する任意の化学物質を含む。重要な例としては、アルカロイド（例えば、ピロリジン、ピペリジン、ピロリジジン、インドリジジン、トロパンおよびノルトロパン）、炭水化物類似体、フェノール化合物、テルペノイド、酵素阻害物質、グリコシド、ヌクレオチド、アミノ酸、脂質および糖が挙げられる。本発明の植物化学物質は、とりわけ医薬品、農薬、コンビナトリアルケミストリーの鋳型、抗酸化剤、植物起源または品質のマーカー、動物毒、殺虫剤、化粧品および食品添加物としての働きをする可能性がある。
【００２９】
「生薬」とは、本明細書においては、少なくとも１つの活性主要成分が化学的に合成されたものではなく、ある植物の植物化学物質構成成分であるような医薬品組成物を定義するのに使用される用語である。ほとんどの場合、この非合成の活性主要成分は精製されておらず、関連するその他植物化学物質と共にその供給源植物中に存在している。ある場合には、植物由来の「生物活性主要成分」は、濃縮画分または単離物質（時に高純度の）のこともある。しかし、多くの場合、生薬は、ある植物の事実上粗な抽出物、混入物もしくは画分を含むか、またはある未加工植物の全体（もしくはその部分）までも含む。ただし、このような場合、植物（または植物部分）は少なくとも乾燥および／または製粉されているのが普通である。
【００３０】
「生物活性主要成分」とは、本明細書においては、同成分を含む生薬の医薬品としての有効性にとって必要なまたは十分な植物化学物質を定義するのに使用される用語である。
【００３１】
本明細書で使用する「特徴」とは、スペクトル特性、濃度、化学構造または機能特性などの、生薬の植物化学物質構成成分の１つまたはそれ以上の態様を特徴づけるデータを定義するものである。
【００３２】
「植物化学プロフィール」とは、本明細書においては、種々の植物化学物質構成成分に関係する一群の特徴を定義するための用語である。このような一群の特性および／または特徴は、「ケミカルフィンガープリント」とも呼ばれる。これら特性には、本明細書で論じた特性（例えば、「画分の特徴づけ」の項を参照のこと）のいずれかまたはすべてを含めることができ、典型的な場合、質量スペクトルおよび／またはＰＤＡスペクトルなどのスペクトルデータが含まれる。
【００３３】
前記植物化学プロフィールは、単一の植物種を解析して、定義済みの一群の化学物質の存在を検出することによって得ることができる。このようなプロフィーリングの手法は植物抽出物（およびそれらの画分）に対しても適用することができ、その場合プロフィールには一まとまりの植物化学物質構成成分（典型的には５を上回り、好ましくは１０を上回り、しばしば２０を上回る）に関係したスペクトルデータを含めることができる。このようにしてプロフィーリングされた植物抽出物および画分を、本明細書ではそれぞれ「定義済み抽出物」および「定義済み画分」と呼ぶ。
【００３４】
「生物活性マーカー」とは、本明細書においては、許容できる程度の医薬品としての活性と相互に関連する特徴（または植物化学物質プロフィール）を定義するために使用される用語である。
【００３５】
「標準規格」とは、本明細書においては、許容できる生薬の品質と相互に関連する特徴または植物化学物質プロフィールを定義するために使用される用語である。この文脈において「品質」とは、生薬の意図された使用法に対する総合的な適合性を定義するために使用される用語であり、例えば、１つまたはそれ以上の生物活性主要成分の存在（適正な濃度での）、１つまたはそれ以上の生物活性マーカーの存在、ならびに特定の供給源、条件、純度、および望ましくない補足物および／または汚染菌による許容できるまたは許容できない程度の汚染などを示す植物化学物質プロフィールなどを含めることができる。
【００３６】
「単離された」は、本明細書においては、単離された物質（例えば、植物化学物質）が現実に生じる物理的環境とはまったく異なる物理的環境に存在していることを表すのに使用される。例えば、単離された物質は、特に本発明のライブラリーという状況においては、それが天然に生じる複雑な細胞環境に対して実質的に単離されている（例えば、精製されている）。
【００３７】
本明細書において本発明の「精製」物質と明記する場合、純度の絶対的レベルは重要でなく、当業者であれば、その物質が使用される用途によって適正なレベルを容易に決定することができよう。しかし、純度は９０％ｗ／ｗまたは９９％ｗ／ｗまたはそれ以上のレベルであることが好ましい。
【００３８】
ある状況では、単離された植物化学物質は、組成物（例えば、多くのその他物質を含有する幾分粗な抽出物）または緩衝系の一部を形成している。ここで緩衝系は例えば他の成分を含有することもある。別の状況では、単離された植物化学物質は、例えば分光測光法、ＮＭＲまたはカラムクロマトグラフィー（例えば、ＨＰＬＣ）によって測定されるような、本来の均質性にまで精製されていることがある。
【００３９】
本明細書において使用されるように、「生物活性指数」とは、生物活性と相互に関係している特徴または特性を定義しようとする用語である。例えば、植物化学物質上のある特定の群の反応性基を毒性のマーカーとして使用し、一方でｉｎ  ｖｉｔｒｏで特定の受容体と相互作用する能力を薬剤活性の指標とすることが可能である。
【００４０】
本明細書において使用されるように、「極性」および「非極性」とは、相対的用語として溶媒に対して適用され、それら溶媒が電気双極子モーメントを有する度合い、したがって親水性（極性）または疎水性（非極性）を示す度合いを示す用語である。極性および非極性溶媒は、極性および非極性植物化学物質を抽出するためにそれぞれ使用される。
【００４１】
医薬品試料
本発明の方法で使用される医薬品試料は、乾燥植物原料、投与または販売される形態をした生薬の未処理アリコートであってよい。また、前記試料は、特徴づけする前に種々の方法で前処理することもできる。前処理は、例えば粉末化、粉砕、凍結、蒸発、ろ過、加圧、噴霧乾燥、押し出し、超臨界溶媒抽出およびチンキ剤の調整などを伴うことができる。
【００４２】
生薬を全植物（またはその部分）の形態で投与するかまたは販売する場合、その植物原料を使用の前に乾燥することができる。凍結乾燥、噴霧乾燥または風乾を含めて、任意の都合のよい乾燥形式を使用することができる。
【００４３】
溶媒抽出
本発明の方法で使用される好適な極性溶媒の例としては、有機アルコールなどの各種有機溶媒が挙げられるが、これに限定されるものではない。エタノールおよびメタノール、ならびにエタノール／水またはメタノール／水の混合物が好ましい。
【００４４】
好ましくは、極性溶媒は、５１〜８０％エタノール／水、３１〜５０％エタノール／水、および最大３０％のエタノール／水混合物の中から選択される。約５０％エタノール／水の極性溶媒は特に好ましい。
【００４５】
本発明の方法で使用される好ましい非極性溶媒の例としては、ヘキサンおよびジクロロメタン（ＤＣＭ）などの有機溶媒またはクロロホルムが挙げられるが、これに限定されるものではない。ジクロロメタンは特に好ましい。
【００４６】
抽出が実施される条件（時間、温度、攪拌程度等）は経験に基づいて容易に決定することができ、試料の性質ならびに前処理および選択される溶媒系によって異なる。
【００４７】
濃縮抽出物のクロマトグラフィーによる分画
クロマトグラフィーによる分画の例として、気−液クロマトグラフィーが挙げられる。気−液クロマトグラフィーは、試料を、圧力下にある不活性ガスと加熱カラム内の不活性支持体上にコーティングされた不揮発性液体の薄層の２相間に分配することによって、揮発性物質の複合混合物をその構成成分に分離する方法である。混合物の状態にある特定の化合物を好適に分離するためには、適正な特徴を有するカラムを使用することが極めて重要である。固体支持体の性質、液相の種類および量、充填法、全長、ならびにカラム温度は重要なファクターである。
【００４８】
当業者であれば、日頃の試行錯誤および一般常識によって、環境に応じて、とりわけ調査対象である抽出物および抽出に使用する溶媒の性質を含めた環境に応じて適正なカラムの特徴を容易に決定することができよう。非極性液相でコーティングされたキャピラリーカラム（２５ｍ×０．２２ｍｍ内径×０．２５μｍＢＰＸ５固定相、ＳＧＥ社製、またはその等価物）は特に好ましく、多くの環境において有用である。
【００４９】
多くの化合物は、その極性の強さ、揮発性の低さまたは熱不安定性のために、ガスクロマトグラフに直接注入するには不適当である。高度にヒドロキシル化されている化合物は、分子間の水素結合によって蒸発しにくくなっている。しかし、ヒドロキシル基の水素原子を他の化学基で置換することによって、そのような化合物も十分揮発性となりＧＣ解析ができるようになる。
【００５０】
ヒドロキシル基の誘導体を形成する最も一般的な２つの手段は、アセチル化とシリル化であって、それぞれアセチレート［ＣＨ3ＣＯ−Ｏ−Ｒ］またはシリルエーテル、例えば、トリメチルシリル（ＴＭＳ）エーテル［（ＣＨ3）3Ｓｉ−Ｏ−Ｒ］が形成される。
【００５１】
このように、濃縮抽出物をクロマトグラフィーによって解析規模で分画する実施形態においては、例えばアセチル化またはシリル化によって濃縮抽出物の植物化学成分の誘導体形成処理を行うことが好ましい。トリメチルシリル（ＴＭＳ）誘導体形成処理は特に好ましい。
【００５２】
クロマトグラフィーによる分画には、イオン交換クロマトグラフィーも含まれる。イオン交換クロマトグラフィーは、一部イオン種を精製してそれらを濃縮し、かつ汚染物質を除去する。当業者であれば、日頃の試行錯誤および一般常識によって、とりわけ分画される量、調査対象である抽出物、および抽出に使用される溶媒の性質などに応じた、好適なカラム充填剤および移動相を容易に同定することができよう。
【００５３】
遊離酸もしくは水素（Ｈ+）の形態またはアンモニウム（ＮＨ4+）塩の形態のいずれかで使用し得る強酸性カチオン交換樹脂は、本発明の方法においては特に好ましい。このような形態の樹脂は溶液からのカチオンを吸着し、等数の対イオンを溶液中に放出する（Ｈ-またはＮＨ4+、使用した形態による）。
【００５４】
生成規模で使用する場合、アニオン交換クロマトグラフィーおよび／または吸着クロマトグラフィーも使用可能である。
【００５５】
スカベンジングされた抽出物のクロマトグラフィーによる分画
本発明の任意のスカベンジングプロセスは、糖中のスカベンジングされた減損非極性抽出物を生成し、クロマトグラフィーによって分画し、１つまたはそれ以上の非イオン性植物化学物質を含む１つまたはそれ以上のスカベンジングされた画分を生成する。
【００５６】
クロマトグラフィーによる分画には、好ましくは高速液体クロマトグラフィー（ＨＰＬＣ）が含まれる。この手法を用いると、試料は好適な溶媒に溶解され、圧力下、カラムの中をポンプで送液される溶媒混合物を用いてカラム上で分離される。当業者であれば、日頃の試行錯誤および一般常識によって、とりわけ分画される量、調査対象である植物原料、および抽出に使用される溶媒の性質などに応じた、好適なカラム充填剤、ポンプによる送液圧力、流速および移動相を容易に同定することができよう。
【００５７】
生成規模でのクロマトグラフィーによる分画には、好ましくは高速液体クロマトグラフィー（ＨＰＬＣ）（例えば、逆相ＨＰＬＣ）と共同して行う（後にＨＰＬＣを伴う）流出分画（順相流出分画）が含まれる。流出分画は、溶媒流出速度を速めるために圧力の印加を伴う、分取カラムクロマトグラフィーの一形態であって、種々の支持体を使って実施することができる。
【００５８】
この分画には、気−液クロマトグラフィー（濃縮抽出物の分画に関する項に記載したように）を含むことも可能である。
【００５９】
減損抽出物のクロマトグラフィーによる分画
本発明の任意の非極性分画は、非極性抽出物を疎水相互作用または逆相クロマトグラフィーにかけ、脂肪およびクロロフィル中の減損抽出物を生成し、減損抽出物をクロマトグラフィーによって分画して１つまたはそれ以上の非極性植物化学物質を含む１つまたはそれ以上の非極性画分を生成することを含む。
【００６０】
減損抽出物の解析は、好ましくは高速液体クロマトグラフィー（ＨＰＬＣ）を含む。しかし、気−液クロマトグラフィーも、代替手段としてまたはＨＰＬＣと共同して使用することが可能である。
【００６１】
画分の物理的状態
極性画分（ならびに場合によりスカベンジングされた画分および／または非極性画分）の物理的状態は、画分の調製に用いられる分画手法に依存し、また、その用途によって異なる。
【００６２】
いくつかの実施形態においては、所与の単離画分のいずれにおいても単離された植物化学物質は本質的に唯一の植物化学物質である。しかしある場合には、単離画分は、複数の異なる植物化学物質、例えば約１００未満、好ましくは約１５未満、最も好ましくはわずか約５つ未満の異なる植物化学物質を含有する。
【００６３】
単離されかつ精製された植物化学物質、例えば約９０％の純度まで（例えば、９０％を上回る純度までまたは９９％を上回る純度まで）精製された植物化学物質を含有する画分は特に好ましい。
【００６４】
画分の特徴づけ
特徴づけの形は、調査対象である薬剤の性質および採用する特徴づけの手法によって決まる。
【００６５】
一般に、下記の方法のいずれかまたはすべてを用いることが可能である。
【００６６】
（ａ）機能による特徴づけ
機能による特徴づけにはバイオロジカルアッセイを含めることができる。バイオロジカルアッセイはインビボ（ｉｎ  ｖｉｖｏ）またはインビトロ（ｉｎ  ｖｉｔｒｏ）で実施することができ、酵素阻害アッセイ（例えば、グリコシダーゼおよび／またはリパーゼ阻害）を含んでいてよい。その他のバイオロジカルアッセイの例としては、受容体結合アッセイ、細胞アッセイ（細胞複製、細胞−病原体および細胞−細胞相互作用、ならびに細胞分泌アッセイを含む）、イムノアッセイ、抗菌作用（例えば、細菌およびウイルスの細胞結合および／または複製）アッセイ、ならびに毒性アッセイ（例えば、ＬＤ50アッセイ）が挙げられる。
【００６７】
機能による特徴づけは、１つまたはそれ以上の生物活性指数の同定が可能となるような特徴づけの形態を取ることよって、間接的に実施することもできる。
【００６８】
（ｂ）物理的特徴づけ
この特徴づけは、任意の所与の画分に存在するまたは本方法のその他の段階で存在する植物化学物質の定量、構成成分の純度の測定、分子量（もしくは分子量分布、もしくは複数の異なる植物化学物質構成成分を含む画分の場合、その様々な統計的相関関係）の決定、分子式の決定（例えば、核磁気共鳴による）、ならびに種々のスペクトル解析などの形を取り得る。
【００６９】
特に有用なスペクトル特性には、
・質量スペクトル（例えば、荷電数当たりの質量（ｍ／ｚ）対存在量）および／または
・クラマトグラフィーによるデータ（例えば、スペクトル、カラム保持時間、溶離液プロフィール等）および／または
・ホトダイオードアレイ（ＰＤＡ）スペクトル（例えば、ＵＶおよび可視両領域において）および／または
・核磁気共鳴（ＮＭＲ）スペクトル（1Ｈおよび／または13ＣＮＭＲを介して得られたスペクトルデータセットを含む）
が含まれる。
【００７０】
スペクトルによる特徴づけは、分画工程と合体させることができる。例えば、ＧＣ−ＭＳやＨＰＬＣ−ＰＤＡ−ＭＳを使用して（本明細書に記載のように）、分画と質量スペクトル、ＵＶ−可視スペクトルおよびクロマトグラフィーによるスペクトルデータを得ることを合体させることができる。
【００７１】
前記特性のいずれかまたはすべてを用いて、任意の所与の試料（任意の画分またはその植物化学成分）について「ケミカルフィンガープリント」を定義することができる。
【００７２】
（ｃ）化学的特徴づけ
この特徴づけは、とりわけ植物化学成分の化学的反応性、溶解性、安定性および融点の測定という形を取り得る。
【００７３】
以下に、本発明を具体的な実施例に関して説明する。これら実施例は単に本発明を説明するためのものであって、本明細書に請求の独占の範囲または本明細書に記載の本発明の範囲を限定するものではない。
【実施例】
【００７４】
イオン種の結合
乾燥植物原料１０ｇを２５０ｍｌのコニカルフラスコに入れ、次いで、十分量の５０％エタノール水溶液を加えて植物原料を浸し、同水溶液が植物原料の上方２ｃｍ高さになるようにする。これを１５時間または一晩放置して抽出を行う。
【００７５】
抽出物を、ブフナー漏斗を用いてろ過する。植物原料は、廃棄するかまたは引き続き行うジクロロメチル（ＤＣＭ）での抽出用に残しておく。ＤＣＭ抽出工程用には新鮮な原料を使用することが好ましいが、十分な原料が入手できない場合には、同原料を使って引き続く抽出を行うことができる。また同原料を使って成分の特徴づけまで行うこともある。
【００７６】
Ｄｏｗｅｘ５０樹脂（５０〜１００メッシュ）に過剰の２ＮＨＣｌを加えて最低１５分間浸し、調製する。次いで、同樹脂を、過剰の脱イオン水で洗浄してｐＨ７とする。調製した樹脂を１０×１ｃｍのため付きカラムに注ぎ入れる。カラムを５０％エタノール水溶液２５ｍｌで洗浄し、植物試料の作成に用いたと同様の溶媒と平衡させる。
【００７７】
各カラムのためを、樹脂をゆっくり通過することができる抽出物で満たす。
【００７８】
未結合試料約３０ｍｌの画分を大ガラス瓶に収集し、ラベルをはり、ＨＰ−２０スカベンジング用に保存する。１または２付近とすべき溶離液のｐＨをモニターする。ｐＨが６または７まで上昇している場合は、樹脂が消耗している。このようなｐＨ上昇が発生したら、カラムの最上部に樹脂を少量加え、必要ならば試料全体を再度カラムに適用して全イオン性成分が結合していることを確認する。カラムに試料全体を適用した後、５０％エタノール水溶液７５ｍｌで洗浄し、次いで水７５ｍｌで洗浄する。これら洗浄液は廃棄する。水は、結合した成分を溶離する前にアルコールを除去するために使用する。
【００７９】
カラムを２Ｎ水酸化アンモニウム１００ｍｌで溶離し、２５０ｍｌ丸底フラスコ内に収集する。溶離液を、４０℃未満の回転エバポレータで３〜５ｍｌになるまで蒸発させ、秤量済み７ｍｌガラス瓶に移す。乾燥は、窒素を使ったブローダウンおよび／または凍結乾燥によって完了する。各試料を同じ日に乾燥するよう、また、必要（一般に１５分未満）以上に長い時間試料をアンモニア溶液中に放置しないよう注意する。さもないと、化合物の分解が起こることがある。各乾燥試料１〜３ｍｇをＧＣガラス瓶に入れ、解析前に再度凍結乾燥する。
【００８０】
非イオン種のスカベンジング
本プロセスは、前記したＤｏｗｅｘ５０カラムからの未結合抽出物を利用する。
【００８１】
Ｄｏｗｅｘ５０カラムからの未結合抽出物３０ｍｌを大ガラス瓶に収集する。Ｓｅｐ−ｐａｋ真空マニホールドをＳｅｐ−ｐａｋカートリッジと共に（これらはＨＰ−２０樹脂を含有する）使用する。Ｓｅｐ−ｐａｋカートリッジを５ｍｌピペットの先端を使って修正すると大きなカラムになる。
【００８２】
大きいガラス瓶または小さいビーカーをカートリッジの下に置き廃棄物を収集する。試料５ｍｌをＳｅｐ−ｐａｋカートリッジに詰める。穏やかな真空を適用してカートリッジの中を通過するように試料を引き寄せ、一定の速さで滴下させる。試料がカートリッジ内のＨＰ−２０樹脂の上に積まれたら、２５％メタノール水溶液３ｍｌでカラムを洗浄する。この液を前記と同じビーカー／ガラス瓶に集め、内容物を廃棄する。この洗浄の目的は、溶離の前に樹脂から糖類の大部分を取り除くことである。糖類は、エタノール水溶液植物抽出物中に一般に大量に存在するありふれた無用の代謝産物であり、除去しないと、試料解析の妨げになる。
【００８３】
１０％アセトンメタノール溶液５ｍｌでカラムを溶離し、この試料を秤量済み７ｍｌガラス瓶に集める。試料を真空下で乾燥し、必要であれば引き続き凍結乾燥する。ガラス瓶を再度秤量し、試料を１０ｍｇ／ｍｌメタノール溶液とする。試料１５０μｌを解析用としてラベルをはったＨＰＬＣおよびＧＣガラス瓶に移す。
【００８４】
非極性成分の抽出
円筒ろ紙を作り、乾燥および粉砕した植物原料、またはイオン性化学物質を除去した後に乾燥した植物原料１０ｇを添加する。５００ｍｌ丸底フラスコ内にガラスビーズを２〜３個入れ、次いでフラスコを加熱マントルに入れて、ジクロロメタン（ＤＣＭ）２００ｍｌを添加する。試料の円筒ろ紙をソックスレーチューブに入れて、これを丸底フラスコに取り付ける。ＤＣＭ１５０ｍｌをソックスレーチューブ内の試料に添加する。ソックスレー装置の最上部に冷却器を載置し、冷却水を出す。一定の還流速度が確立された時点で過熱マントルのスイッチを入れる。抽出が終わったら、過熱マントルのスイッチを切る。水を止める前にシステムをさらに３０分間冷却する。
【００８５】
抽出物を周囲温度にまで冷却後、ソックスレーチューブ内に残留するＤＣＭはすべてサイフォンを通ってフラスコに入るようにした状態で、ソックスレー装置を分解する。フラスコをマントルから取り外す。ＨＰ−２０樹脂１００ｍｌを、ラベルをはった１０００ｍｌ丸底フラスコ内に入れ、次いでＤＣＭ抽出物を添加する。ＨＰ−２０／抽出物を真空下、４０℃未満に設定した回転エバポレータで乾燥するまで蒸発させる。乾燥樹脂を２５０ｍｌコニカルフラスコに移し、１０％アセトンメタノール溶液３×１００ｍｌで溶離する。この溶液を、フィルターを通して予め秤量してある５００ｍｌ丸底フラスコに傾しゃし、回転エバポレータで乾燥するまで蒸発させる。丸底フラスコを再度秤量して抽出物の重量を決定し、次いで１０ｍｇ／ｍｌメタノール溶液とし、ラベルをはったガラス瓶に移す。抽出物は、ＨＰＬＣ−ＰＤＡ／ＭＳおよびＧＣ−ＭＳによる解析の前にろ過しておく。
【００８６】
注釈
（ａ）ＨＰ−２０樹脂
Ｄｉａｉｏｎ  ＨＰ−２０（住友製）は、スチレンジビニルベンゼンポリマー樹脂である。同樹脂は疎水性であって、親油性化合物および弱酸を吸着する。合成吸着剤ＨＰおよびＳＰシリーズは、マクロポアを有する不溶性３次元架橋ポリマーである。それらはイオン交換基またはその他の官能基を有していないが、表面積が大きく、ファンデルワールス力によって種々の有機物質を吸収することができる。このポリマーマトリックスは、芳香族（スチレンジビニルベンゼン）型またはアクリル（メタクリル）型のいずれかに分類することができる。
【００８７】
一旦吸着されたら、化合物は、好適な溶媒を適用することによって樹脂から洗い流すことができる。ＨＰ−２０は下記のように使用され、植物のジクロロメタン（ＤＣＭ）抽出物から過剰量の脂肪およびクロロフィルを除去する。
【００８８】
可溶化した抽出物を、真空下、樹脂上で乾燥する。この樹脂を、含有アセトン量を増やした（アセトン３０％まで）メタノールで溶離する。このメタノール溶液は、脂肪およびクロロフィルをＨＰ−２０に吸着させたままの状態で、関心の全化合物を洗い落とすのに十分である。ＨＰ−２０樹脂は、再利用するために、アセトンおよびヘキサンで洗浄して清浄にする。こうすることで、無用の化合物はすべて洗い落とされ、メタノールでの最終洗浄後には、樹脂は再度利用できるようになる。
【００８９】
非イオン性化合物のスカベンジングのために、この抽出物の構成成分は、ジクロロメタン（ＤＣＭ）抽出物の構成成分より極性が強い（より水溶性である）。したがって、ＨＰ−２０樹脂はやや異なる方法で使用され、１０％アセトンメタノール溶液で残留結合物質を溶離する前に、先ず２５％メタノール水溶液で樹脂から糖を洗い落とすことによって糖を関心の化合物から分離する。ＨＰ−２０樹脂を異なる仕方で使用する鍵は、同樹脂に吸着された物質の溶離に使用する溶媒系の極性にある。
【００９０】
（ｂ）イオン交換クロマトグラフィー
イオン交換工程は、イオン種を濃縮し、かつイオン種の解析を妨害する恐れのある汚染物質を除去する。最初に、試料を、約５０％水性アルコールを用いた抽出によって処理する。約５０％水性アルコールによって、各植物の極性成分はより極性の低い成分から分離され、また、抽出物に存在する可能性のあるいずれのタンパク質も変性される。次いで、抽出物をイオン交換クロマトグラフィーによって処理する。イオン交換クロマトグラフィーによって、各抽出物中のイオン性化合物（大部分はアルカロイド、アミノ酸および小アミン）は、やはり抽出物中に存在する非イオン性化合物（主として糖、脂肪および大部分のフェノール化合物）から分離され濃縮される。次いで、試料を酵素アッセイにてＧＣ−ＭＳまたはＨＰＬＣによって解析する。
【００９１】
ろ過した抽出物を、ジビニルベンゼンで架橋したポリスチレン樹脂であるＤｏｗｅｘ  ５０Ｗ−Ｘ８樹脂に充填する。この樹脂は、遊離酸もしくは水素（Ｈ+）の形態または例えばアンモニウム（ＮＨ4+）塩などの塩の形態のいずれかで使用し得る強酸性カチオン交換体である。この樹脂は前記いずれの形態でも溶液からのカチオンを吸着し、等数の対イオンを溶液中に放出する（Ｈ+またはＮＨ4+イオン、使用した樹脂の形態による）。Ｈ+の形態では、Ｄｏｗｅｘ  ５０Ｗ−Ｘ８樹脂は、溶液（極度の強酸を除き）からのすべてのイオン性化合物をその電荷に関係なく吸着する。したがってこの形態は好ましい。
【００９２】
抽出物のカチオンが吸着すると、樹脂からはプロトンが追放され、その結果、試料の濃度にもよるが、溶離液のｐＨはｐＨ６．０（樹脂の使用前に樹脂の水洗に使用した蒸留水のｐＨ）からｐＨ２．０まで低下する。試料を希釈すれば、それだけｐＨの低下は小さくなる。しかし、一旦樹脂の容量を達成してしまうと、試料の充填を続けることによってｐＨは粗抽出物のｐＨにまで上昇する。
【００９３】
Ｄｏｗｅｘ  ５０Ｗ−Ｘ８樹脂（５０〜１００メッシュサイズ）を２ＮＨＣｌで洗浄することによって調製し、Ｈ+の形態に変換されていることを確かめる。過剰な酸を、蒸留水でまんべんなくすすいで除去する。粗抽出物を樹脂に充填した後、溶離液のｐＨが上昇して蒸留水のｐＨになるまで、カラムを蒸留水で洗浄し、すべての未結合物質を除去する。結合した化合物は、水酸化アンモニウム（ＮＨ4+ＯＨ-）の２Ｎ溶液で溶出する。カラムを水で洗浄してｐＨ６．０とし、減圧下、４０℃にて回転エバポレータを使用した蒸発によって、試料からアンモニアを除去する。
【００９４】
化学物質のＨＰ−２０によるスカベンジングに向けて、イオン交換樹脂に結合しなかった物質の体積を、減圧下の蒸発により低減しておく。
【００９５】
（ｃ）ガスクロマトグラフィー−質量分析（ＧＣ−ＭＳ）
この手法は、濃縮され、スカベンジングされかつ減損している抽出物の構成成分の検出および定量に使用される。
【００９６】
気−液クロマトグラフィーは、揮発性物質の複合混合物を、圧力下にある不活性ガスと加熱カラム内の不活性支持体上にコーティングされた不揮発性液体の薄層の２相間に分配することによって、その構成成分に分離する方法である。混合物の状態にある特定の化合物を好適に分離するためには、適正な特徴を有するカラムを仕様することが極めて重要である。固体支持体の性質、液相の種類および量、充填法、全長、ならびにカラム温度は重要なファクターである。非極性液相でコーティングされたキャピラリーカラム（２５ｍ×０．２２ｍｍ内径×０．２５μｍＢＰＸ５固定相、ＳＧＥ社製）またはその等価物が好ましい。
【００９７】
多くの化合物は、その極性の強さ、揮発性の低さまたは熱不安定性のために、ガスクロマトグラフに直接注入するには不適当である。高度にヒドロキシル化されている化合物は、分子間の水素結合によって蒸発しにくくなっている。しかし、ヒドロキシル基の水素原子を他の化学基で置換することによって、そのような化合物も十分揮発性となりＧＣ解析ができるようになる。ヒドロキシル基の誘導体を形成する最も一般的な２つの手段は、アセチル化とシリル化であって、それぞれアセチレート［ＣＨ3ＣＯ−Ｏ−Ｒ］またはシリルエーテル、例えば、トリメチルシリル（ＴＭＳ）エーテル［（ＣＨ3）3Ｓｉ−Ｏ−Ｒ］が形成される。解析の前に、Ｓｉｇｍａ  Ｃｈｅｍｉｃａｌ社製、Ｓｉｇｍａ  Ｓｉｌ  Ａ（トリメチルクロロシランとヘキサメチルジシラザンとピリジンの１：３：９混合物）を用いて試料をシリル化しておくことが好ましい。誘導体形成処理は、密封ガラス瓶内で乾燥物質１ｍｇ当たりＳｉｇｍａ  Ｓｉｌ  Ａ１００μｌを添加することによって達成される（試薬は水の存在下で分解する）、また、反応は試料を６０℃で１５分間加熱することによって完了する。
【００９８】
誘導体が形成された各試料内のトリメチルシリルエーテルを、温度プログラムを使ってカラム上で分離する。このように温度プログラムを使うことによって、沸点が広範にわたる各化合物の分離を迅速に行うことができる。
【００９９】
電子衝撃質量分析においては、分離され気化された化合物を含んだガスクロマトグラフィーからの流出物を、高度に真空状態にある質量分析器のイオンチャンバー内を通過させる。分子をイオン化しフラグメント化するフィラメントからの加速された電子線によって、分子に衝撃を与える。最初に、各分子から一個の電子が取り除かれ、正に帯電した分子イオン（Ｍ+、すなわちラジカルカチオン）が形成される。分子イオンにおいては、結合強度に対して結合の破壊がただちに起こり、フラグメントイオンを生じる。分子フラグメントが極めて特徴的であるそのあり方を、「フィンガープリント」による識別の１つの形として利用することができる。様々なイオンが加速されて質量分析器の解析部分に入り、そこで、フラグメントの分子量に相当する荷電数当たりの質量（ｍ／ｚ値）によって振り分けられる。イオンのシグナルは電子増倍管によって増幅され、質量スペクトルが質量の小さいものから大きいものへとプロットされる。ｍ／ｚ値がイオンの相対的存在量に対してプロットされ、目に見える「フィンガープリント」が提供される。
【０１００】
（ｄ）ＨＰＬＣ−ＰＤＡ／ＭＳ／ＥＬＳ（蒸発光散乱検出法）
この手法は、スカベンジングされた減損抽出物の構成成分を検出しかつ定量するために使用される。この手法を用いて、試料を好適な溶媒に溶解し、圧力下、カラムの中をポンプで送液される溶媒混合物を用いてカラム上で分離する。３つの検出器、すなわち前記したような質量分析器と、化合物がＵＶおよび可視両領域の波長において光を吸収するかどうかを測定するホトダイオードアレイシステムが使用される。
【０１０１】
前記各実施例においては、逆相Ｃ8ＨＰＬＣカラム（５０ｍｍ×２．１ｍｍ内径×３．５μｍ、Ｗａｔｅｒｓ社製）を取り付けたＷａｔｅｒｓ  Ｉｎｔｅｇｒｉｔｙ（商標）ＨＰＬＣ−ＰＤＡ／ＭＳシステムを使用した。カラムの中を流れる溶媒の流速は０．３５ｍｌ／分とし、水９０％およびアセトニトリル１０％（０．０１％トリフルオロ酢酸を含有）から始める直線グラジエントを使用した。６分かけてアセトニトリル１００％にし、さらに６．５分間その状態を維持した。
【０１０２】
吸収量（ホトダイオードアレイ−ＰＤＡ）のデータは２００〜６００ｎｍの範囲で集め、質量スペクトルのデータは７１〜６００ｍ／ｚの範囲で集めた。
【０１０３】
均等物
前記内容は、現在好ましいとされる本発明の実施形態を詳述したものである。当業者であれば、これら記載内容を考慮して、前記実施形態には実際に多くの修正および変更を加えうることが予想されるであろう。そのような修正および変更も本明細書に添付の請求項の範囲内に含むものとする。
【国際調査報告】
2005519273.tif 000002
2005519273.tif 000003
2005519273.tif 000004